(57)【要約】【課題】ユーザごとのグリップ位置やキー入力時のストローク圧力に応じた柔軟なキー設定が可能な携帯端末、及び携帯端末のキー入力方法を提供する。【解決手段】この携帯端末１及びキー入力方法では、ユーザが筐体２を実際にグリップしたときに筐体２の側面に設けられたサイドキー４に加わるストローク圧力を一斉に検出し、各サイドキー４に対してストローク圧力の閾値を設定している。そして、閾値以上のストローク圧力でキーが押された場合に、当該サイドキー４による入力の認識がなされるようになっている。この携帯端末１及びキー入力方法では、ユーザのグリップ位置やキー入力時のストローク圧力に応じて実際に用いるサイドキー４を柔軟に設定できるので、キー入力の使い勝手を向上できる。【選択図】図１
2011211423.tif 000002
【特許請求の範囲】
【請求項１】
筐体の側面に複数のキーが設けられた携帯端末であって、
前記複数のキーに加わるストローク圧力を検出する圧力検出手段と、
前記キーごとにストローク圧力の閾値を格納する閾値格納手段と、
前記圧力検出手段によって前記キーに前記閾値以上のストローク圧力が加わったことが検出された場合に、当該キーによる入力を認識する入力認識手段と、を備えたことを特徴とする携帯端末。
【請求項２】
前記筐体の姿勢を検出する姿勢検出手段を更に備え、
前記閾値格納手段には、前記筐体の姿勢に関連付けて前記キーごとの前記ストローク圧力の閾値が格納されていることを特徴とする請求項１記載の携帯端末。
【請求項３】
前記圧力検出手段によって前記複数のキーに加わるストローク圧力を一斉に検出させ、この検出結果に基づいて前記キーごとの前記ストローク圧力の閾値を設定する閾値設定手段を更に備えたことを特徴とする請求項１又は２記載の携帯端末。
【請求項４】
前記入力認識手段は、前記閾値格納手段において前記閾値が設定されていないキーについては、前記圧力検出手段によって当該キーに加わるストローク圧力が検出された場合であっても、当該キーによる入力を認識しないことを特徴とする請求項１〜３記載の携帯端末。
【請求項５】
筐体の側面に複数のキーが設けられた携帯端末のキー入力方法であって、
閾値格納手段が、前記キーごとにストローク圧力の閾値を格納する閾値格納ステップと、
圧力検出手段が、前記複数のキーに加わるストローク圧力を検出する圧力検出ステップと、
入力認識手段が、前記圧力検出手段によって前記キーに前記閾値以上のストローク圧力が加わったことが検出された場合に、当該キーによる入力を認識する入力認識ステップと、を備えたことを特徴とする携帯端末のキー入力方法。
【請求項６】
姿勢検出手段が前記筐体の姿勢を検出する姿勢検出ステップを更に備え、
前記閾値格納ステップにおいて、前記筐体の姿勢に関連付けて前記キーごとの前記ストローク圧力の閾値を格納することを特徴とする請求項５記載の携帯端末のキー入力方法。
【請求項７】
閾値設定手段が、前記圧力検出手段によって前記複数のキーに加わるストローク圧力を一斉に検出させ、この検出結果に基づいて前記キーごとの前記ストローク圧力の閾値を設定する閾値設定ステップを更に備えたことを特徴とする請求項５又は６記載の携帯端末のキー入力方法。
【請求項８】
前記入力認識ステップにおいて、前記閾値格納手段において前記閾値が設定されていないキーについては、前記圧力検出手段によって当該キーに加わるストローク圧力が検出された場合であっても、当該キーによる入力を認識しないことを特徴とする請求項５〜７のいずれか一項記載の携帯端末のキー入力方法。
【発明の詳細な説明】
【技術分野】
【０００１】
本発明は、携帯端末及び携帯端末のキー入力方法に関する。
【背景技術】
【０００２】
この種の分野に関連する技術として、例えば特許文献１に記載の注文入力装置がある。この注文入力装置では、表示面の裏側に操作用のタッチパネルが別に設けられており、タッチパネルの接触位置の移動に連動して表示部のカーソル位置を移動させることにより、片手で装置の操作を行うことが可能となっている。
【先行技術文献】
【特許文献】
【０００３】
【特許文献１】特開２００４−１１０３８０号公報
【発明の概要】
【発明が解決しようとする課題】
【０００４】
しかしながら、片手で持つことができるような携帯端末では、グリップ位置やキー入力時のストローク圧力がユーザによってばらつくと考えられる。したがって、キー入力の使い勝手を向上させるためには、ユーザごとのグリップ位置やキー入力時のストローク圧力に応じた柔軟なキー設定を可能にする技術が求められる。
【０００５】
本発明は、上記課題の解決のためになされたものであり、ユーザごとのグリップ位置やキー入力時のストローク圧力に応じた柔軟なキー設定が可能な携帯端末、及び携帯端末のキー入力方法を提供することを目的とする。
【課題を解決するための手段】
【０００６】
上記課題の解決のため、本発明に係る携帯端末は、筐体の側面に複数のキーが設けられた携帯端末であって、複数のキーに加わるストローク圧力を検出する圧力検出手段と、キーごとにストローク圧力の閾値を格納する閾値格納手段と、圧力検出手段によってキーに閾値以上のストローク圧力が加わったことが検出された場合に、当該キーによる入力を認識する入力認識手段と、を備えたことを特徴としている。
【０００７】
この携帯端末では、筐体の側面に設けられた複数のキーに対してストローク圧力の閾値がそれぞれ設定されており、閾値以上のストローク圧力でキーが押された場合に、当該キーによる入力の認識がなされる。したがって、ユーザのグリップ位置やキー入力時のストローク圧力に応じて実際に用いるキーを柔軟に設定できるので、キー入力の使い勝手を向上できる。
【０００８】
また、筐体の姿勢を検出する姿勢検出手段を更に備え、閾値格納手段には、筐体の姿勢に関連付けてキーごとのストローク圧力の閾値が格納されていることが好ましい。筐体の姿勢によって、同一のユーザであってもグリップ位置やストローク圧力は大きく変わる。したがって、筐体の姿勢に関連付けてキーごとのストローク圧力の閾値を設けることにより、キー入力の使い勝手をより向上できる。
【０００９】
また、圧力検出手段によって複数のキーに加わるストローク圧力を一斉に検出させ、この検出結果に基づいてキーごとのストローク圧力の閾値を設定する閾値設定手段を更に備えたことが好ましい。この場合、ユーザが実際に筐体をグリップしたときのグリップ位置及びストローク圧力に基づいて、簡便に各キーのストローク圧力の閾値を設定できる。
【００１０】
また、入力認識手段は、閾値格納手段において閾値が設定されていないキーについては、圧力検出手段によって当該キーに加わるストローク圧力が検出された場合であっても、当該キーによる入力を認識しないことが好ましい。この場合、キーの誤操作を防止することが可能となる。
【００１１】
また、本発明に係る携帯端末のキー入力方法は、筐体の側面に複数のキーが設けられた携帯端末のキー入力方法であって、閾値格納手段が、キーごとにストローク圧力の閾値を格納する閾値格納ステップと、圧力検出手段が、複数のキーに加わるストローク圧力を検出する圧力検出ステップと、入力認識手段が、圧力検出手段によってキーに閾値以上のストローク圧力が加わったことが検出された場合に、当該キーによる入力を認識する入力認識ステップと、を備えたことを特徴としている。
【００１２】
この携帯端末のキー入力方法では、筐体の側面に設けられた複数のキーに対してストローク圧力の閾値がそれぞれ設定されており、閾値以上のストローク圧力でキーが押された場合に、当該キーによる入力の認識がなされる。したがって、ユーザのグリップ位置やキー入力時のストローク圧力に応じて実際に用いるキーを柔軟に設定できるので、キー入力の使い勝手を向上できる。
【００１３】
また、姿勢検出手段が筐体の姿勢を検出する姿勢検出ステップを更に備え、閾値格納ステップにおいて、筐体の姿勢に関連付けてキーごとのストローク圧力の閾値を格納することが好ましい。筐体の姿勢によって、同一のユーザであってもグリップ位置やストローク圧力は大きく変わる。したがって、筐体の姿勢に関連付けてキーごとのストローク圧力の閾値を設けることにより、キー入力の使い勝手をより向上できる。
【００１４】
また、閾値設定手段が、圧力検出手段によって複数のキーに加わるストローク圧力を一斉に検出させ、この検出結果に基づいてキーごとのストローク圧力の閾値を設定する閾値設定ステップを更に備えたことが好ましい。この場合、ユーザが実際に筐体をグリップしたときのグリップ位置及びストローク圧力に基づいて、簡便に各キーのストローク圧力の閾値を設定できる。
【００１５】
また、入力認識ステップにおいて、閾値格納手段において閾値が設定されていないキーについては、圧力検出手段によって当該キーに加わるストローク圧力が検出された場合であっても、当該キーによる入力を認識しないことが好ましい。この場合、キーの誤操作を防止することが可能となる。
【発明の効果】
【００１６】
本発明によれば、ユーザごとのグリップ位置やキー入力時のストローク圧力に応じた柔軟なキー設定が可能となる。
【図面の簡単な説明】
【００１７】
【図１】本発明に係る携帯端末の一実施形態を示す図である。
【図２】図１に示した携帯端末の機能的な構成要素を示す図である。
【図３】筐体を縦向きにした状態でストローク圧力の閾値を設定する様子を示した図である。
【図４】筐体を横向きにした状態でストローク圧力の閾値を設定する様子を示した図である。
【図５】閾値格納部に格納される情報の一例を示す図である。
【図６】ストローク圧力の閾値の設定手順を示すフローチャートである。
【図７】サイドキーの認識手順を示すフローチャートである。
【発明を実施するための形態】
【００１８】
以下、図面を参照しながら、本発明に係る携帯端末及びキー入力方法の好適な実施形態について詳細に説明する。
【００１９】
図１は、本発明に係る携帯端末の一実施形態を示す図である。図１に示す携帯端末１は、物理的には、例えばＣＰＵ（中央処理装置）、メモリ、通信インターフェイス、ハードディスクなどを備えた携帯電話機である。携帯端末１の筐体２の正面には、例えばタッチパネルディスプレイ３が設けられている。
【００２０】
また、筐体２の左右の側面には、複数（本実施形態では左右７つずつ）のサイドキー４が設けられている。サイドキー４は、ユーザによる押下操作を受け付ける部分であり、例えばタッチパネルディスプレイ３による操作とは異なる補助的な操作が割り当てられている。各サイドキー４には、識別のためのナンバー（識別情報）が割り当てられており、例えば筐体２の左側面の上側から順にＮｏ．１〜Ｎｏ．７、筐体２の右側面の上側から順にＮｏ．８〜Ｎｏ．１４となっている。
【００２１】
図２は、携帯端末１の機能的な構成要素を示す図である。同図に示すように、携帯端末１は、機能的な構成要素として、姿勢検出部１０１及び圧力検出部１０２からなる検出部１０と、閾値設定部１０３と、閾値格納部１０４と、入力認識部１０５とを有している。
【００２２】
姿勢検出部１０１は、携帯端末１の筐体２の姿勢を検出する部分である。姿勢検出部１０１は、例えば３軸加速度センサを有しており、筐体２の向きが縦向きであるか横向きであるかを検出する。姿勢検出部１０１は、検出結果を示す姿勢情報を閾値設定部１０３又は入力認識部１０５に出力する。
【００２３】
圧力検出部１０２は、サイドキー４に加わるストローク圧力を検出する部分である。圧力検出部１０２は、例えば複数の圧力センサからなり、サイドキー４ごとのストローク圧力を検出する。圧力検出部１０２は、サイドキー４を識別する識別情報と共に検出結果を示す圧力情報を閾値設定部１０３又は入力認識部１０５に出力する。
【００２４】
閾値設定部１０３は、サイドキー４ごとのストローク圧力の閾値を設定する部分である。より具体的には、閾値設定部１０３は、ユーザによる所定の操作を契機として、圧力検出手段によって複数のキーに加わるストローク圧力を一斉に検出する設定モードを実施する。
【００２５】
設定モードでは、例えば図３に示すように、筐体２を縦向きにした状態でグリップし、その状態でサイドキー４を押下するように、ユーザに向けてタッチパネルディスプレイ３に操作案内が表示される。次に、例えば図４に示すように、筐体２を横向きにした状態でグリップし、その状態でサイドキー４を押下するように、ユーザに向けてタッチパネルディスプレイ３に操作案内が表示される。
【００２６】
閾値設定部１０３は、筐体２が縦向きの場合及び横向きの場合それぞれについて、サイドキー４の識別情報と関連付けられた圧力情報を圧力検出部１０２から取得し、閾値格納部１０４に格納する。図５は、閾値格納部１０４に格納される情報の一例を示す図である。
【００２７】
図５に示す例では、閾値格納部１０４には、サイドキー４の識別情報としてのＮｏ．１〜Ｎｏ．１５に関連付けて、筐体２が縦向きである場合の各サイドキー４のストローク圧力の閾値と、筐体２が横向きである場合の各サイドキー４のストローク圧力の閾値とが格納されている。
【００２８】
筐体２が縦向きである場合では、例えばＮｏ．２のサイドキー４のストローク圧力の閾値が「８００ｇ」、Ｎｏ．４のサイドキー４のストローク圧力の閾値が「５００ｇ」、Ｎｏ．５のサイドキー４のストローク圧力の閾値が「３００ｇ」、Ｎｏ．６のサイドキー４のストローク圧力の閾値が「１００ｇ」、Ｎｏ．９のサイドキー４のストローク圧力の閾値が「５００ｇ」となっている。また、その他のサイドキーについては、「入力なし」となっている。
【００２９】
一方、筐体２が横向きである場合では、例えばＮｏ．４のサイドキー４のストローク圧力の閾値が「５００ｇ」、Ｎｏ．６のサイドキー４のストローク圧力の閾値が「５００ｇ」、Ｎｏ．１２のサイドキー４のストローク圧力の閾値が「６００ｇ」となっている。また、その他のサイドキーについては、「入力なし」となっている。
【００３０】
入力認識部１０５は、上述したストローク圧力の閾値に基づいて、サイドキー４による入力を認識する部分である。入力認識部１０５は、圧力検出部１０２によってサイドキー４にストローク圧力が加わったことが検出された場合に、まず、姿勢検出部１０１から筐体２の姿勢情報を取得する。次に、入力認識部１０５は、サイドキー４の識別情報、圧力情報、及び姿勢情報に基づいて、閾値格納部１０４を参照する。そして、入力認識部１０５は、サイドキー４に加わったストローク圧力が閾値以上であった場合に、そのサイドキー４の入力を認識する。
【００３１】
一方、入力認識部１０５は、サイドキー４に加わったストローク圧力が閾値未満であった場合には、そのサイドキー４の入力を認識しない。また、入力認識部１０５は、ストローク圧力の閾値が「入力なし」となっているサイドキー４については、圧力検出部１０２によるストローク圧力が検出された場合であっても、そのサイドキー４の入力を認識しない。
【００３２】
続いて、上述した構成を有する携帯端末１の動作について説明する。図６は、ストローク圧力の閾値の設定手順を示すフローチャートである。また、図７は、サイドキーの認識手順を示すフローチャートである。
【００３３】
ストローク圧力の閾値の設定を行う場合、図６に示すように、まず、筐体２の姿勢の検出が行われる（ステップＳ０１：姿勢検出ステップ）。次に、タッチパネルディスプレイ３に操作案内が表示される。そして、筐体２を縦向きにした状態及び横向きにした状態のそれぞれについて、ユーザが筐体２をグリップしたときに各サイドキー４に加わるストローク圧力の一斉検出が行われ（ステップＳ０２）、各サイドキー４ごとのストローク圧力が閾値として設定される（ステップＳ０３：閾値格納ステップ，閾値設定ステップ）。
【００３４】
以上のように設定されたサイドキー４を実際に操作する場合、図７に示すように、まず、押下されたサイドキー４に加わるストローク圧力の検出がなされる（ステップＳ０４：圧力検出ステップ）。次に、筐体２の姿勢が縦向きであるか横向きであるかの検出が行われ（ステップＳ０５）、検出された姿勢とストローク圧力とに基づいて閾値の参照がなされる（ステップＳ０６）。
【００３５】
閾値の参照の後、入力認識ステップが実行される。入力認識ステップでは、始めに押下されたサイドキー４に閾値が設定されているか否かの判断がなされる（ステップＳ０７）。サイドキー４に閾値が設定されていない場合には当該サイドキー４は無効化された状態であり、入力の認識はなされずに処理が終了する。
【００３６】
サイドキー４に閾値が設定されている場合には、検出されたストローク圧力が閾値以上であるか否かが判断される（ステップＳ０８）。ストローク圧力が閾値未満である場合には、入力の認識はなされずに処理が終了する。一方、検出されたストローク圧力が閾値以上である場合には、入力の認識がなされる（ステップＳ０９）。この場合、携帯端末１では、サイドキー４が押下されたことに対応する所定の処理が実行される。
【００３７】
以上説明したように、この携帯端末１及びキー入力方法では、筐体２の側面に設けられた複数のサイドキー４に対してストローク圧力の閾値がそれぞれ設定されており、閾値以上のストローク圧力でキーが押された場合に、当該サイドキー４による入力の認識がなされる。したがって、ユーザのグリップ位置やキー入力時のストローク圧力に応じて実際に用いるサイドキー４を柔軟に設定できるので、キー入力の使い勝手を向上できる。
【００３８】
また、この携帯端末１及びキー入力方法では、筐体２の姿勢を検出し、筐体２の姿勢に関連付けてサイドキー４ごとのストローク圧力の閾値を格納している。筐体２の姿勢によって、同一のユーザであってもグリップ位置やストローク圧力は大きく変わる。したがって、筐体２の姿勢に関連付けてサイドキー４ごとのストローク圧力の閾値を設けることにより、キー入力の使い勝手をより向上できる。
【００３９】
また、この携帯端末１及びキー入力方法では、サイドキー４に加わるストローク圧力を一斉に検出させ、この検出結果に基づいてサイドキー４ごとのストローク圧力の閾値を設定する。これにより、ユーザが実際に筐体２をグリップしたときのグリップ位置及びストローク圧力に基づいて、各サイドキー４のストローク圧力の閾値を簡便に設定できる。
【００４０】
また、この携帯端末１及びキー入力方法では、閾値が設定されていないサイドキー４については、当該サイドキー４に加わるストローク圧力が検出された場合であっても、このサイドキー４による入力を認識しないようになっている。このように、グリップ位置以外のサイドキー４を無効化しておくことで、サイドキー４の誤操作を防止することが可能となる。
【００４１】
本発明は、上記実施形態に限られるものではない。例えば上述した実施形態では、筐体２の左右の側面にサイドキー４を配置しているが、キーの配置はこれに限定されるものではなく、筐体２の形状・寸法に応じたグリップ位置を想定して適宜変更可能である。また、サイドキー４は、プッシュボタン式のものに限られず、タッチパネル式のものを用いてもよい。さらに、上述した実施形態では、ユーザに実際に筐体２をグリップさせることによってサイドキー４のストローク圧力の閾値を設定しているが、ユーザによる手動での閾値の入力を受け付けるようにしてもよい。
【符号の説明】
【００４２】
１…携帯端末、２…筐体、４…サイドキー（キー）、１０１…姿勢検出部、１０２…圧力検出部、１０３…閾値設定部、１０４…閾値格納部、１０５…入力認識部。
【図１】
2011211423.tif 000003
【図２】
2011211423.tif 000004
【図３】
2011211423.tif 000005
【図４】
2011211423.tif 000006
【図５】
2011211423.tif 000007
【図６】
2011211423.tif 000008
【図７】
2011211423.tif 000009